(57)【要約】【課題】局側設備に大規模な記憶装置を必要とせず、従来の放送の再送信の仕組みを利用しながら、既に放送された番組を視聴者の都合のよい時間に視聴できるシステムを提供すること。【解決手段】本発明において、局側設備１１００では、端末装置２１００の視聴情報を視聴情報収集部１１１８で収集し、それを基にユーザーの嗜好番組を決定し、録画スケジュール生成部１１１６で録画する番組を決定したら、端末制御部１１１７から端末装置２１００を制御して、端末装置側に嗜好番組を蓄積する。【選択図】図２
2005217461.tif 000002
【特許請求の範囲】
【請求項１】
局側装置と、前記局側装置に伝送路を介して接続された少なくとも１つの端末装置とを備える放送システムにおいて、
前記局側装置は、
放送局から送出される番組を前記伝送路に再送信する再送信手段と、
前記伝送路に接続されている前記端末装置毎に録画制御信号を送信する録画制御信号送出手段と、を備え、
前記端末装置は、
前記番組を蓄積する番組蓄積手段と、
前記録画制御信号送出手段からの録画制御信号に従って前記番組の蓄積動作を制御する番組蓄積制御手段と、を備えることを特徴とする放送システム。
【請求項２】
前記端末装置は、番組を視聴した情報を前記局側装置に通信する視聴情報通信手段を備え、
前記局側装置は、前記端末装置からの視聴情報を収集する視聴情報収集手段と、
録画スケジュールを構築する、録画スケジュール構築手段と、を備え、
前記録画スケジュール構築手段で構築した録画スケジュールに従って前記端末装置毎に録画制御信号を送出することを特徴とする請求項１に記載の放送システム。
【請求項３】
前記放送システムは、ＣＡＴＶシステムであることを特徴とする請求項１または２に記載の放送システム。
【請求項４】
前記録画スケジュール構築手段は、前記端末装置毎の視聴情報より当該端末装置の嗜好に合った録画スケジュールを構築することを特徴とする請求項２または３に記載の放送システム。
【請求項５】
前記録画スケジュール構築手段は、前記伝送路を介して接続された全ての前記端末装置からの視聴情報を元にして、前記端末装置の録画スケジュールを構築することを特徴とする請求項２または３に記載の放送システム。
【請求項６】
前記録画スケジュール構築手段は、前記端末装置毎の視聴情報より当該端末装置の嗜好にあった録画スケジュールを構築し、録画スケジュールが構築されない部分には、前記伝送路を介して接続された全ての前記端末装置からの視聴情報を元にした録画スケジュールが構築されることを特徴とする請求項２または３に記載の放送システム。
【請求項７】
前記録画スケジュール構築手段は、前記端末装置のユーザーが登録した嗜好情報により、嗜好に合った録画スケジュールを構築することを特徴とする請求項２または３に記載の放送システム。
【請求項８】
前記局側装置は、自局で保有する番組を前記伝送路に送信する自主番組送出手段を備え、
前記録画スケジュール構築手段は、前記端末装置毎の視聴情報あるいはユーザーが登録した嗜好情報より当該端末装置の嗜好にあった録画スケジュールを構築し、録画スケジュールが構築されない部分には、前記自主番組送出手段の番組を録画スケジュールに組み込むことを特徴とする、請求項２〜７のいずれか一項に記載の放送システム。
【請求項９】
前記局側装置は、自局で保有する番組をリクエストにより専用チャンネルで送出するＶｏＤ（Ｖｉｄｅｏ  ＯＮ  Ｄｅｍａｎｄ）装置を備え、
前記録画スケジュール構築手段は、前記端末装置毎の視聴情報あるいはユーザーが登録した嗜好情報より前記端末装置の嗜好にあった録画スケジュールを構築し、録画スケジュールが構築されない部分には、前記端末装置の嗜好にあった番組を前記ＶｏＤ装置へリクエストすると同時に専用チャンネルを録画スケジュールに組み込むことを特徴とする請求項２〜７のいずれか一項に記載の放送システム。
【請求項１０】
前記局側装置は、ＣＭ挿入装置を備え、
前記録画スケジュール構築手段は、前記端末装置毎の視聴情報あるいはユーザーが登録した嗜好情報より前記端末装置の嗜好にあった録画スケジュールを構築し、録画スケジュールが構築されない部分には、前記端末装置の嗜好にあったＣＭを前記ＣＭ装置へリクエストすると同時に専用チャンネルを録画スケジュールに組み込むことを特徴とする請求項２〜７のいずれか一項に記載の放送システム。
【請求項１１】
前記端末装置は、動作状態を通知する動作状態通知手段を備え、前記局側装置は、前記端末装置の動作状態を確認する動作状態確認手段を備え、前記端末装置がユーザーの操作により録画状態あるいは録画予約になっている場合は、録画スケジュールから前記番組を削除することを特徴とする請求項２または３に記載の放送システム。
【請求項１２】
前記端末装置は、動作状態を通知する動作状態通知手段を備え、前記局側装置は、前記端末装置の動作状態を確認する動作状態確認手段を備え、前記端末装置がユーザーの操作による録画あるいは録画予約状態になっている場合は、録画状態を取り消して、録画スケジュールに登録された番組を録画することを特徴とする請求項２または３に記載の放送システム。
【請求項１３】
前記端末装置は、動作状態を通知する動作状態通知手段を備え、前記局側装置は、前記端末装置の動作状態を確認する動作状態確認手段を備え、前記端末装置がユーザーの操作による録画あるいは録画予約状態になっている場合は、ユーザーに録画が重複することを通知することを特徴とする請求項２、３、１１または１２のいずれか一項に記載の放送システム。
【請求項１４】
前記端末装置は複数のチューナ部を備え、前記録画スケジュールで構築された番組をユーザーが視聴している際は、他の番組を録画することを特徴とする請求項２、３、１１、１２または１３のいずれか一項に記載の放送システム。
【請求項１５】
前記端末装置は、番組蓄積手段の状態を通知する蓄積状態通知手段を備えることを特徴とする請求項２または３に記載の放送システム。
【請求項１６】
前記端末装置は、前記端末装置の蓄積状態を確認する蓄積状態確認手段を備え、前記端末装置の蓄積可能容量が録画スケジュールに登録された番組より少ない場合は、ユーザーに蓄積可能容量が少ないことを通知することを特徴とする請求項２、３、７または１５に記載の放送システム。
【請求項１７】
前記端末装置は、前記端末装置の蓄積状態を確認する蓄積状態確認手段を備え、前記端末装置の蓄積可能容量が録画スケジュールに登録された番組より少ない場合は、録画した日時の古いものから順に削除して、蓄積可能容量を確保することを特徴とする請求項２、３、７または１５のいずれか一項に記載の放送システム。
【請求項１８】
前記端末装置の番組蓄積手段は外部装置であることを特徴とする請求項１〜１７のいずれか一項に記載の放送システム。
【請求項１９】
前記端末装置の番組蓄積手段は前記局側設備が管理する局側管理部とユーザーが管理するユーザー管理部からなり、前記局側管理部の容量は前記局側設備とユーザーの少なくとも一方から設定及び変更できることを特徴とする請求項１〜１８のいずれか一項に記載の放送システム。
【請求項２０】
前記録画スケジュール構築手段は、前記端末装置毎の視聴情報あるいはユーザーが登録した嗜好情報より前記端末装置の嗜好に合った録画スケジュールを構築し、複数の嗜好番組が同一時間に重複した場合、ユーザーに通知することを特徴とする、請求項２〜１９のいずれか一項に記載の放送システム。
【請求項２１】
前記局側装置は、前記端末装置における録画条件を決定する録画条件決定手段を備え、前記録画スケジュール構築手段は、前記端末装置毎の視聴情報より前記端末装置の嗜好に合った録画スケジュールを構築し、複数の嗜好番組が同一時間に重複した場合、前記録画条件決定手段で決定した条件に基づいて録画する番組を決定することを特徴とする、請求項２、６または８〜２０のいずれか一項に記載の放送システム。
【発明の詳細な説明】
【技術分野】
【０００１】
本発明は、例えば、ＣＡＴＶシステム等に用いられる放送システムに関し、特に視聴情報に応じて、番組の蓄積制御を行うシステムに関する。
【背景技術】
【０００２】
従来より、ＣＡＴＶ事業者等の有線事業者において、衛星放送や地上波放送を受信して自伝送路へ再送信する仕組みが実現されている。視聴者は、新聞や雑誌等で公表されるテレビ番組表や、最近のデジタル化により普及してきたＥＰＧ（Ｅｌｅｃｔｒｏｎｉｃ  Ｐｒｏｇｒａｍ  Ｇｕｉｄｅ）によって番組を知ることができる。これらの情報を利用し、視聴者はチャンネルを選局して番組を受信し視聴することができる。しかし、これらの番組は予め決められた時間にのみ放送されるものである。近年、生活習慣が多様化しており、視聴者が所望の番組の放送時間に不在で視聴できないことが多くなってきている。このような場合に、ＶＴＲ等を操作して所望の番組を予約録画させておけば、視聴者の都合の良い時間に視聴することができるが、例えば予約忘れや番組自体の放送を知らず後で気づいた場合には、その番組を視聴することができなくなる。
【０００３】
一方、近年の放送のデジタル化に伴い有線事業者の伝送路もデジタル化されてきており、双方向通信を利用しての局側装置と端末装置間の情報の送受信や制御が容易に行えるようになってきている。
【０００４】
このような状況の中、上記番組の放送後に視聴者の都合の良い時間帯に視聴できる手段として、放送されている全ての番組を一旦局側で蓄積し、視聴者からのリクエストに応じて蓄積した番組を送出する方法が考えられている（例えば、特許文献１参照）。
【特許文献１】特開２００１−１４５０８７号公報
【発明の開示】
【発明が解決しようとする課題】
【０００５】
しかしながら、前記従来の構成では、衛星放送や地上波放送等の全ての番組を一旦局側で蓄積するため、大容量の記憶装置が不可欠であった。また、それぞれの視聴者毎にリクエストのあった番組を送出するため、多数の視聴者からの要求に対応できるだけの伝送帯域を確保することも必要であった。さらには、ＢＳデジタル放送や地上デジタル放送等の公共性の高い放送の場合、一旦局側で蓄積して、それを複数の視聴者に対して実際の放送から時間をずらして送出するには、これらの番組を提供している事業者等の承諾を得ることが必須となっていた。
【０００６】
本発明は、前記の課題を解決するものであり、局側設備に大規模な記憶装置を必要とせず、従来の放送の再送信の仕組みを利用しながら、既に放送された番組を視聴者の都合のよい時間に視聴できるシステムを提供することを目的とする。
【課題を解決するための手段】
【０００７】
前記の課題を解決するために、本発明は、局側装置と、前記局側装置に伝送路を介して接続された少なくとも１つの端末装置とを備える放送システムにおける、局側装置であって、放送局から送出される番組を前記伝送路に再送信する再送信手段と、前記伝送路に接続されている前記端末装置毎に録画制御信号を送信する録画制御信号送出手段と、を備えることを特徴とする。
【０００８】
また、本発明は、局側装置と、前記局側装置に伝送路を介して接続された少なくとも１つの端末装置とを備える放送システムにおける、端末装置であって、前記端末装置は、前記番組を蓄積する番組蓄積手段と、前記録画制御信号送出手段からの録画制御信号に従って前記番組の蓄積動作を制御する番組蓄積制御手段と、を備えることを特徴とする。
【０００９】
また、本発明は、局側装置と、前記局側装置に伝送路を介して接続された少なくとも１つの端末装置とを備える放送システムにおいて、前記局側装置は、放送局から送出される番組を前記伝送路に再送信する再送信手段と、前記伝送路に接続されている前記端末装置毎に録画制御信号を送信する録画制御信号送出手段とを備え、前記端末装置は、前記番組を蓄積する番組蓄積手段と、前記録画制御信号送出手段からの録画制御信号に従って前記番組の蓄積動作を制御する番組蓄積制御手段とを備えることを特徴とする。
【００１０】
本構成によって、局側装置の指示により前記端末装置の録画制御を行うことができる。
【００１１】
また、本発明の一実施の形態において、前記端末装置は、番組を視聴した情報を前記局側装置に通信する視聴情報通信手段を備え、前記局側装置は、前記端末装置からの視聴情報を収集する視聴情報収集手段と、録画スケジュールを構築する、録画スケジュール構築手段とを備え、前記録画スケジュール構築手段で構築した録画スケジュールに従って前記端末装置毎に録画制御信号を送出する。
【００１２】
本構成によって、視聴者の視聴情報をもとに、端末装置に録画すべき番組のスケジュールを構築し、番組を端末装置に録画させておくことができる。
【００１３】
また、本発明の一実施の形態において、前記放送システムは、ＣＡＴＶシステムであることを特徴とする。
【００１４】
また、本発明の一実施の形態において、前記録画スケジュール構築手段は、前記端末装置毎の視聴情報より前記端末装置の嗜好に合った録画スケジュールを構築する。
【００１５】
本構成によって、視聴者がよく視聴している番組情報より端末装置に録画すべき番組のスケジュールを構築でき、視聴者が好んで視聴すると予想される番組を端末装置に録画させておくことができる。
【００１６】
また、本発明の一実施の形態において、前記録画スケジュール構築手段は、前記伝送路を介して接続された全ての前記端末装置からの視聴情報を元にして、前記端末装置の録画スケジュールを構築する。
【００１７】
本構成によって、局側装置に伝送路を介して接続されている全ての端末装置の視聴情報をもとにして、視聴者全体で視聴されている番組の情報をもとに、各端末装置の録画スケジュールを構築することができる。
【００１８】
また、本発明の一実施の形態において、前記録画スケジュール構築手段は、前記端末装置毎の視聴情報より前記端末装置の嗜好にあった録画スケジュールを構築し、録画スケジュールが構築されない部分には、前記伝送路を介して接続された全ての前記端末装置からの視聴情報を元にした録画スケジュールが構築される。
【００１９】
また、本発明の一実施の形態において、前記録画スケジュール構築手段は、前記全北端末装置のユーザーが登録した嗜好情報を元に各端末装置の録画スケジュールを構築することができる。
【００２０】
本構成によれば、ある視聴者の嗜好にあった番組が放送されていない時間帯には、前記の視聴者全体で視聴されている番組の情報を付加して録画スケジュールを構築することができる。
【００２１】
また、本発明の一実施の形態において、前記局側装置は、自局で保有する番組を前記伝送路に送信する自主番組送出手段を備え、前記録画スケジュール構築手段は、前記端末装置毎の視聴情報より前記端末装置の嗜好にあった録画スケジュールを構築し、録画スケジュールが構築されない部分には、前記自主番組送出手段の番組を録画スケジュールに組み込む。
【００２２】
本構成によれば、ある視聴者の嗜好にあった番組が放送されていない時間帯には、自局で保有している自主番組も加味して録画スケジュールを構築することができる。
【００２３】
また、本発明の一実施の形態において、前記局側装置は、自局で保有する番組をリクエストにより専用チャンネルで送出するＶｏＤ（Ｖｉｄｅｏ  ＯＮ  Ｄｅｍａｎｄ）装置を備え、前記録画スケジュール構築手段は、前記端末装置毎の視聴情報より前記端末装置の嗜好にあった録画スケジュールを構築し、録画スケジュールが構築されない部分には、前記端末装置の嗜好にあった番組を前記ＶｏＤ装置へリクエストすると同時に専用チャンネルを録画スケジュールに組み込む。
【００２４】
本構成によれば、ある視聴者の嗜好にあった番組が放送されていない時間帯には、自局で運用しているＶｏＤシステムと連動させ、視聴者の嗜好にあった番組を専用チャンネルを使用して事前に端末装置に蓄積させておくことができる。
【００２５】
また、本発明の一実施の形態において、前記局側装置は、ＣＭ挿入装置を備え、前記録画スケジュール構築手段は、前記端末装置毎の視聴情報より前記端末装置の嗜好にあった録画スケジュールを構築し、録画スケジュールが構築されない部分には、前記端末装置の嗜好にあったＣＭを前記ＣＭ装置へリクエストすると同時に専用チャンネルを録画スケジュールに組み込む。
【００２６】
また、本発明の一実施の形態において、前記端末装置は、動作状態を通知する動作状態通知手段を備え、前記局側装置は、前記端末装置の動作状態を確認する動作状態確認手段を備え、前記端末装置がユーザーの操作により録画状態あるいは録画予約になっている場合は、録画スケジュールから前記番組を削除する。
【００２７】
また、本発明の一実施の形態において、前記端末装置は、動作状態を通知する動作状態通知手段を備え、前記局側装置は、前記端末装置の動作状態を確認する動作状態確認手段を備え、前記端末装置がユーザーの操作による録画あるいは録画予約状態になっている場合は、録画状態を取り消して、録画スケジュールに登録された番組を録画する。
【００２８】
また、本発明の一実施の形態において、前記端末装置は、動作状態を通知する動作状態通知手段を備え、前記局側装置は、前記端末装置の動作状態を確認する動作状態確認手段を備え、前記端末装置がユーザーの操作による録画あるいは録画予約状態になっている場合は、ユーザーに録画が重複することを通知する。
【００２９】
また、本発明の一実施の形態において、前記端末装置は複数のチューナを備え、ユーザーが録画スケジュールで構成された番組を視聴している場合は他の番組を録画する。
【００３０】
また、本発明の一実施の形態において、前記端末装置は、番組蓄積手段の状態を通知する蓄積状態通知手段を備える。
【００３１】
また、本発明の一実施の形態において、前記端末装置は、番組蓄積手段の状態を通知する蓄積状態通知手段を備え、前記局側装置は、前記端末装置の蓄積状態を確認する蓄積状態確認手段を備え、前記端末装置の蓄積可能容量が録画スケジュールに登録された番組より少ない場合は、ユーザーに蓄積可能容量が少ないことを通知する。
【００３２】
また、本発明の一実施の形態において、前記端末装置は、番組蓄積手段の状態を通知する蓄積状態通知手段を備え、前記局側装置は、前記端末装置の蓄積状態を確認する蓄積状態確認手段を備え、前記端末装置の蓄積可能容量が録画スケジュールに登録された番組より少ない場合は、録画した日時の古いものから順に削除して、蓄積可能容量を確保する。
【００３３】
また、本発明の一実施の形態において、前記端末装置の番組蓄積手段は外部装置である。
【００３４】
また、本発明の一実施の形態において、前記端末装置の番組蓄積手段は前記局側設備が管理する局側管理部とユーザーが管理するユーザー管理部からなり、前記局側管理部の容量は前記局側設備とユーザーの少なくとも一方から設定及び変更できる。
【００３５】
また、本発明の一実施の形態において、前記録画スケジュール構築手段は、前記端末装置毎の視聴情報より前記端末装置の嗜好に合った録画スケジュールを構築し、複数の嗜好番組が同一時間に重複した場合、ユーザーに通知する。
【００３６】
また、本発明の一実施の形態において、前記局側装置は、前記端末装置における録画条件を決定する録画条件決定手段を備え、前記録画スケジュール構築手段は、前記端末装置毎の視聴情報より前記端末装置の嗜好に合った録画スケジュールを構築し、複数の嗜好番組が同一時間に重複した場合、前記録画条件決定手段で決定した条件に基づいて録画する番組を決定する。
【００３７】
本発明はまた、局側装置と、前記局側装置に伝送路を介して接続された少なくとも１つの端末装置とを備える放送システムにおける録画制御方法を提供し、放送局から送出される番組を前記伝送路に再送信する再送信ステップと、前記伝送路に接続されている前記端末装置毎に録画制御信号を送信する録画制御信号送出ステップと、前記番組を蓄積する番組蓄積ステップと、前記録画制御信号送出ステップからの録画制御信号に従って前記番組の蓄積動作を制御する番組蓄積制御ステップと、を備えることを特徴とする。
【００３８】
本発明はまた、上述の局側装置、端末装置、または放送システムを実行するための方法およびプログラム、ならびにこれを記録する記録媒体を包含する。
【発明の効果】
【００３９】
本発明によれば、局側設備に大規模な記憶装置を必要とせず、従来の放送の再送信の仕組みを利用しながら、既に放送された番組を視聴者の都合のよい時間に視聴できるシステムを提供することができる。
【発明を実施するための最良の形態】
【００４０】
以下本発明の実施の形態について、図面を参照しながら説明する。
【００４１】
（実施の形態１）
図１は、本発明の実施の形態１における放送システムの構成の一例を示した図である。本実施の形態ではＣＡＴＶ局における放送システムの構成の一例を示している。図１において、１０００はＣＡＴＶ局、２０００はＣＡＴＶ局に加入している視聴者宅、３０００はＣＡＴＶ伝送路である。また、１１００はＣＡＴＶ伝送路３０００への放送の送出や双方向通信を制御する局側装置、２１００は視聴者宅２０００に置かれる端末装置、２２００は端末装置２１００で受信した番組を表示するＴＶである。
【００４２】
ＣＡＴＶ局１０００に設置される局側装置１１００と視聴者宅２０００に置かれる端末装置２１００は、ＣＡＴＶ伝送路３０００を介して相互に接続されており、これによって局側装置１１００から送出される放送を端末装置２１００で受信してＴＶ２２００に表示したり、あるいは局側装置１１００と端末装置２１００が双方向通信を行い、局側装置１１００から端末装置２１００を制御したり、端末装置２１００の情報を局側装置１１００に伝送したりすることができる。
【００４３】
次に局側装置１１００の動作について、図２を用いて説明する。
【００４４】
図２において、１１１０は、放送再送信関連の制御や通信制御、端末装置制御等を行う制御システム、１１３０は制御システム１１１０全体を管理・制御するシステム管理装置である。また、１１１１は変調された放送信号を復調する復調部、１１１２は例えばトランスモジュレーションと呼ばれる再送信方式に対応した再送信制御部、１１１３は、再送信信号をＣＡＴＶ伝送路３０００に送出するための変調を行う変調部、１１１４は、各変調波を混合或いはＣＡＴＶ伝送路から入力した変調信号を分配する混合分配部、１１１５は、ＣＡＴＶ局１０００で受信し再送信する放送信号から番組情報を抜き出し収集する番組情報収集部、１１１６は、各端末装置２１００の録画スケジュールを生成する録画スケジュール生成部、１１１７は、各端末装置の制御を行う端末制御部、１１１８は、各端末装置２１００の視聴情報を収集する視聴情報収集部、１１２０は、各端末装置と双方向で通信する通信装置、１１２１は、通信装置１１２０の変復調部、１１２２は、通信装置１１２０の通信制御を行う通信制御部である。
【００４５】
ＣＡＴＶ局１０００で受信した地上デジタル放送やＢＳデジタル放送・ＣＳデジタル放送は、制御システム１１１０の復調部１１１１でトランスポートストリーム（ＴＳ）に復調され、再送信制御部１１１２に入力される。再送信制御部１１１２では、入力されたＴＳにＣＡＴＶ伝送路３０００に再送信するために必要な処理が施されるのと同時に、それぞれの放送に伝送されている番組情報が抽出される。処理されたＴＳは変調部１１１３でＣＡＴＶ伝送路３０００に適した変調波に変調されて混合分配部１１１４で混合されてＣＡＴＶ伝送路３０００に出力される。また、再送信制御部１１１２で抽出された番組情報は、番組情報収集部１１１５で収集、整理される。
【００４６】
一方、通信装置１１２０は、ＣＡＴＶ伝送路３０００に接続されている各端末装置２１００と適宜通信を行っており、各端末装置２１００との通信制御や情報の入出力は通信制御部１１２２が行っている。各端末装置２１００からの視聴情報は、ＣＡＴＶ伝送路３０００に適した変調が施されて上り信号として伝送されてくる。この上り信号は、混合分配部１１１４で通信装置１１２０に分配され、変復調部１１２１で復調されて通信制御部１１２２に入力され制御システム内で扱えるデータとして処理される。視聴情報収集部は、通信制御部１１２２から各端末装置２１００の視聴情報を収集・整理を行う。
【００４７】
録画スケジュール生成部１１１６は、視聴情報収集部１１１８の情報より、端末装置２１００毎の嗜好分析を行い、番組情報収集部１１１５からの番組情報をもとに、端末装置２１００毎によく視聴すると予想される番組を選択し、端末装置２１００毎の録画スケジュールを生成する。端末制御部１１１７は、録画スケジュール生成部１１１６の録画スケジュール情報をもとに、通信装置１１２０を通して各端末装置２１００の録画制御を行う。この動作につき、詳細に説明する。端末制御部１１１７では、録画スケジュール生成部１１１６より各端末装置２１００の録画スケジュール情報を与えられており、例えば、ある端末装置２１００に録画すべき番組の時間になる直前に、その端末装置２１００の状態を、通信装置１１２０を介して取得し、視聴されていなければ録画動作を開始する。録画動作は、まず端末制御部１１１７が通信装置１１２０を介して電源制御信号を送出することにより、端末装置２１００の電源を入れる。次に端末制御部１１１７は、同様に通信装置１１２０を介してチャンネル制御信号を送出し、端末装置２１００に録画させる番組のチャンネルを選局させ、録画時間になれば録画開始信号を送出し、端末装置２１００に録画動作を開始させる。録画時間の終了時間になれば録画終了信号を送出し、端末装置２１００の録画を終了させ、最後に電源制御信号を送出し、端末装置２１００の電源をＯＦＦに制御し、録画制御を終了する。
【００４８】
次に端末装置２１００の動作について図３を用いて説明する。
【００４９】
図３において、２１０１は、ＣＡＴＶ伝送路から入力した変調信号を分配・或いは端末装置２１００からの変調出力を混合する分配・混合部、２１０２は、所望の周波数にチューニングして受信した変調波を復調し選局されたＴＳを出力するフロントエンド部、２１０３は、選局されたＴＳに多重されている映像、音声、ＥＰＧ・データ放送を分離するＤＥＭＵＸ部、２１０４は、分離されたＥＰＧ・データ放送をデコードし映像や音声信号に変換するＥＰＧ・データ放送デコーダ部、２１０５は、分離された映像データを復号し映像信号として出力する映像復号部、２１０６は、分離された音声データを復号し音声信号として出力する音声復号部、２１０７は、蓄積要求や再生要求に応じて所望の番組データの蓄積・出力制御を行う蓄積・出力制御部、２１０８は、番組データを蓄積する蓄積部、２１０９は、蓄積されている番組の内容を示す表を作成し出力する蓄積番組表生成部、２１１０は、端末装置２１００全体の制御を行うシステムコントロール部、２１１１は、システムコントロール部２１１０からの要求によりフロントエンド部２１０１に対して選局制御を行う選局制御部、２１１２は、外部のリモコン信号を受信し受信した要求をシステムコントロール部に出力するリモコン受信部、２１１３は、電源を制御する電源部、２１１４は、端末装置の視聴情報を収集し、通信制御部を介して局側装置１１００に伝送を行う視聴データ生成部、２１２０は、局側装置１１００と双方向通信を行う通信制御部である。
【００５０】
まず、通常の端末装置２１００の動作を説明する。端末装置２１００は、リモコンからの制御信号をリモコン受信部にて受信し、その内容に応じた制御が行われる。例えばリモコンである番組が選択された時には、その信号をリモコン受信部が受信してシステムコントローラ部２１１０に伝え、システムコントローラ部２１１０が所望の番組を受信できるように選局制御部２１１１を介してフロントエンド部を制御し、選択された番組のＴＳを選局する。選局された番組のＴＳはＤＥＭＵＸ部２１０３において映像、音声、ＥＰＧ・データ放送の各データに分離され、それぞれ映像復号部２１０５、音声復号部２１０６、ＥＰＧ・データ放送デコーダ部２１０４で復号・出力され、接続されているＴＶ２２００で選択した番組を視聴できるようになる。
【００５１】
次に局側装置からの制御による番組の蓄積動作について説明する。
【００５２】
端末装置２１００は、普段視聴されている番組やジャンル、或いはあらかじめ視聴者が端末装置２１００に入力した嗜好内容等の情報を視聴データ生成部２１１４にて生成し、２１２０を介して局側装置１１００に伝送する。局側装置１１００では、前述したように端末装置２１００からの視聴情報をもとに各端末装置２１００の録画スケジュールが作成され、録画制御を行う。端末装置２１００は、この局側装置１１００からの録画制御の信号を通信制御部２１２０にて受信し、システムコントロール部２１１０に伝送する。システムコントロール部２１１０は、局側装置１１００からの制御に従って、各部を制御する。この動作を前述した局側装置１１００の録画制御動作に従って説明する。
【００５３】
今、端末装置２１００で、現在視聴されていない状態とする。この状態では、電源部２１１３は通信制御部２１２０、リモコン受信部２１１２とシステムコントロール部２１１０の一部を除く部分の電源を切っている状態にある。局側装置１１００と端末装置２１００間の通信は通信制御部２１２０を介してシステムコントロール部２１１０が行っている。
【００５４】
局側装置１１００からは、まず録画すべき番組の時間になる直前に端末装置２１００の状態を確認する信号が送信され、端末装置２１００では、視聴していない状態の情報を返信する。次に局側装置１１００からは電源制御信号が送出され、端末装置２１００は、この信号を受信し、システムコントロール部２１１０が電源部２１１３を制御して端末装置２１００全体の電源をＯＮにし、完了したことを返信する。局側装置１１００は端末装置２１００の起動が完了したことを確認し、録画させるチャンネル制御信号、さらに録画時間になれば録画開始信号を送出する。端末装置２１００は、この信号に従ってシステムコントローラが選局制御部２１１１を介して所望のチャンネルを選局と録画を開始する。録画動作は、システムコントロール部２１１０が蓄積・出力制御部２１０７を介して蓄積部２１０８を制御し録画を開始する。この時、フロントエンド部からのＴＳ信号がそのままＤＥＭＵＸ部２１０３を通って蓄積部２１０８に入力されるように、システムコントロール部２１１０が制御を行う。最後に局側装置１１００から録画終了信号が送出され、端末装置２１００はこの信号を受けて録画動作を終了し、電源をＯＦＦにする。
【００５５】
端末装置２１００にて、蓄積した番組を視聴する場合には、リモコンで端末装置２１００を操作し、蓄積した番組表を出力し接続されたＴＶ２２００に表示させる。この番組表は、蓄積したＴＳが持っている情報をもとに蓄積番組表生成部２１０９で生成され、表示される。表示された番組表から、リモコンで視聴したい番組を選択すると、システムコントロール部２１１０は蓄積・出力制御部２１０７を介して蓄積部２１０８より選択した番組のＴＳを出力するよう制御を行い、このＴＳはＤＥＭＵＸ部で映像、音声、ＥＰＧ・データ放送等に分離されて、それぞれ、映像復号部２１０５、音声復号部２１０６、ＥＰＧ・データ放送デコーダ部２１０４で復号・出力されて、視聴者は所望の番組をＴＶ２２００で視聴することができる。
【００５６】
このようにして、端末装置２１００からの視聴情報をもとに局側装置１１００でそれぞれの端末装置２１００の録画スケジュールが構築され、その録画スケジュールをもとに局側装置１１００が通信により端末装置２１００に録画動作を実施させることで、視聴者の好みにあった番組が端末装置内に蓄積される。これにより、視聴者は番組が放送された後でも所望の番組を視聴することが可能となる。
【００５７】
なお、本実施の形態では、端末装置２１００で視聴されていない場合としたが、例えばフロントエンド部２１０１を２つ持った端末装置２１００であれば、視聴中においても同様の動作を行うことができる。
【００５８】
また、蓄積部２１０８には、ＴＳ信号がそのまま蓄積部に入力され蓄積される例を示したが、ＤＥＭＵＸ部２１０３で映像、音声、ＥＰＧ・データ放送を分離して、それぞれを蓄積するようにしてもよい。この場合、蓄積した番組を視聴するには、番組の信号が蓄積部２１０８より直接映像復号部、音声復号部、ＥＰＧ・データ放送デコーダ部に送られて復号されるように構成される。
【００５９】
なお、本実施の形態では、通信装置１１２０は制御装置１１１０に含まれる構成としたが、外部の装置としてもよい。また、通信制御部２１２０も端末装置２１００に内蔵されている構成としたが、外部の通信機器として図示しないＩ／Ｆ部により接続される構成としてもよい。
【００６０】
また、蓄積部２１０８は、端末装置２１００に内蔵される構成としたが、外部の蓄積装置として図示しないＩ／Ｆ部により接続される構成としてもよい。
【００６１】
また、本実施例では局側装置１１００が録画番組の開始時と終了時にそれぞれ録画開始信号と録画終了信号を端末装置２１００送っていたが、録画番組開始前に、予約情報として開始時刻と終了時刻をあらかじめ送信しておいてもよい。
【００６２】
なお、蓄積番組表生成部２１０９は蓄積したＴＳが持っている情報をもとに番組表を生成する構成としたが、端末装置２１００に蓄積させた番組の情報を局側装置１１００より通信により端末装置２１００に伝送し、その情報をもとに蓄積番組表生成部２１０９が蓄積した番組表を生成してもよい。
【００６３】
さらに、本実施の形態では、再送信制御部１１１２はトランスモジュレーションと呼ばれる再送信方式の例を示したが、ＲＥＭＵＸ方式等、他の再送信方式でも可能であることは言うまでもない。
【００６４】
（実施の形態２）
つぎに、ユーザーの嗜好情報があらかじめ登録されている場合の動作に関して説明する。
【００６５】
図４は本発明の実施の形態２における、放送システムの局側装置の一例、図５は本発明の実施の形態２における、放送システムの端末装置の一例である。
【００６６】
まず、局側装置１１００の動作に関して図４を用いて説明する。
【００６７】
ユーザーからはがきや電話などで嗜好情報の申請があると、システム管理装置１１３０に登録され、システム管理装置１１３０から視聴情報収集部１１１８に登録される。
【００６８】
録画スケジュール生成までは本発明の実施の形態１と同じなので割愛する。制御信号に関しては、再送信制御部１１１２でＴＳに多重されて変調部１１１３及び混合分配部１１１４を介して端末装置２１００に送信される。制御信号の多重位置としては、各ＴＳのＰＭＴ（Ｐｒｏｇｒａｍ  Ｍａｐ  Ｔａｂｌｅ）などがある。
【００６９】
次に端末装置２１００の動作に関して図５を用いて説明する。
【００７０】
受信したＴＳはＤＥＭＵＸ部２１０３で解読される。ＰＭＴが解読されたとき、端末制御情報が書かれていることが確認されると、その内容はシステムコントロール部２１１０に送られる。システムコントロール部２１１０に送られた後の動作は本発明の実施の形態１と同様であるため、割愛する。
【００７１】
このように、番組送信用のＴＳを送る片方向回線だけでも、嗜好にあった番組を録画することが可能である。
【００７２】
（実施の形態３）
図６は、本発明の実施の形態３における放送システムの局側設備の構成の一例を示した図である。本実施の形態ではＣＡＴＶ局における放送システムの構成に、録画スケジュールが構築されていない場合に付加サービスを挿入する一例を示している。本実施の構成ではＣＭを挿入する例を示すが、ＣＭ挿入装置の代わりに自主番組送出手段を設けることにより、自主番組の挿入でも同構成で実現することが可能である。また、ＣＭ挿入装置の代わりに、ＶｏＤ装置を備え、専用チャンネルを設けることにより、ＶｏＤサービスを実現することが可能である。図６において、６０１はＣＭ信号を送信するＣＭ挿入部である。
【００７３】
ＣＭ送信の処理に関して図７を基に説明する。
【００７４】
ある端末装置の録画スケジュールに関して、録画スケジュール生成部１１１６で録画スケジュールが空いていることを確認されると（Ｓ７０１）、ＣＭ挿入部６０１は視聴情報収集部１１１８から該当端末装置の嗜好情報を抽出し（Ｓ７０２）、興味のあるジャンルを確認する（Ｓ７０３）。確認されたジャンル該当するＣＭ情報を明示しないＣＭ挿入装置にリクエストする（Ｓ７０４）。ＣＭ挿入装置から該当するＣＭ内容が送られてくると（Ｓ７０５）、その中からもっとも嗜好にあったＣＭを決定し（Ｓ７０６）、ＣＭ挿入装置に該当ＣＭをリクエストする（Ｓ７０７）。ＣＭ挿入装置から該当ＣＭが送られてくると（Ｓ７０８）、録画スケジュールの空き時間であるかを確認し（Ｓ７０９）、空き時間がきたらＣＭを送信するチャンネルを確認した（Ｓ７１０）のち、変調部１１１３に送り（Ｓ７１１）、専用チャンネルで送信する。後は実施の形態１で述べた放送番組の蓄積と同様にして、該当端末に蓄積する。なお、録画スケジュールの空き時間確認は、録画スケジュールが入っていないときでも任意の時でもよい。また、ＣＭを送信するチャンネルは空いているチャンネルでも、インターネット用チャンネルでも固定チャンネルでもよく、特に規定しない。
【００７５】
同様にして、ＣＭ挿入部６０１の代わりにＶｏＤ挿入部を設け、明示しないＶｏＤ装置を備え、ＣＭ同様、録画スケジュールの空いた時間に、該当端末装置の嗜好情報を抽出し、興味のあるジャンルの番組を専用チャンネルから送出することも可能である。
【００７６】
なお、ＣＭ挿入部６０１の代わりにＰＰＶチャンネル入力部を設け、明示しない衛星放送などのＰＰＶチャンネルを受信するＰＰＶチャンネル受信装置を備えることにより嗜好にあったＰＰＶチャンネルを蓄積することも可能である。
【００７７】
具体的には録画スケジュール生成部１１１６は、ＣＭ同様、録画スケジュールの空いた時間に、該当端末装置の嗜好情報を抽出し、ＰＰＶチャンネルのＥＰＧ等から抽出したＰＰＶチャンネルと比較する。比較の結果、興味のあるジャンルの番組放送時間が録画スケジュールの空き時間であれば端末制御部１１１７から端末措置２１００を制御して端末装置２１００のシステムコントロール部２１１０でＰＰＶチャンネルを選局させて蓄積部２１０８に蓄積させることも可能である。
【００７８】
また、ＣＭ挿入部６０１の代わりに自主番組送出部を設け、明示しない自主番組送出手段を設け、録画スケジュールの空いた時間に該当端末装置に送出することも可能である。この場合、該当端末装置の嗜好情報の確認は必ずしも必要ではない。
【００７９】
なお、録画スケジュールの空いた時間に送信する内容は実施の形態２で説明した内容に限られないことは言うまでもない。
【００８０】
（実施の形態４）
本発明の実施の形態４における端末装置の動作に関して図３および図２を用いて説明する。本実施の形態ではＣＡＴＶ局における放送システムの構成に、端末装置の各種制御をＣＡＴＶ局側装置から行う方法の一例を示している。局側装置１１００で端末装置の録画状態あるいは蓄積状態を把握し、その状態によって、制御方法を決定する。
【００８１】
まず、動作状態を局側装置１１００に通知する場合の端末装置２１００の動作に関して図３を用いて説明する。
【００８２】
図３において、システムコントロール部２１１０はリモコン２１１２から録画予約信号や録画信号が送られてきたら、蓄積・出力制御部２１０７を制御して録画及び録画予約の命令を発行するとともに、その情報を、通信制御部２１２０を介して局側装置に送信する。
【００８３】
次に、局側装置１１００の動作を説明する。
【００８４】
局側装置１１００では端末装置２１００から録画および録画予約情報が送られてくると、通信装置１１２０を介して録画スケジュール生成部１１１６で録画スケジュールの確認を行う。もし、録画状態および録画予約状況と録画スケジュールが重複する、あるいは重複する恐れがある場合は、契約状況に応じて、録画スケジュール部１１１６から録画スケジュールを削除したり、端末制御部１１１７が制御情報を端末装置２００に送信し、端末装置２１００のシステムコントロール部２１１０によって、ユーザーが登録した録画予約を取り消したり、予約が重複した旨を映像信号に重畳して出力して知らせたりする。
【００８５】
また、同様にして、システムコントロール部２１１０は録画情報のほかに蓄積部２１０８の蓄積状況を局側装置１１００に送信することによって、局側装置１１００では録画予約状況と同様に蓄積状況を確認して、端末装置２１００の蓄積部２１０８の蓄積可能容量が録画スケジュールに登録された番組の時間より短い場合、端末制御部１１１７より制御信号を送信して、端末装置２１００のシステムコントロール部２１１０が古い番組を削除したり、あるいは録画時間が不足している旨を映像信号に重畳して出力して知らせたりすることも可能である。
【００８６】
また、同様にして、視聴情報から生成された録画スケジュールに関して、複数の嗜好番組が同一時間に重複した場合、録画スケジュール生成部１１１６は端末制御部１１１７より制御信号を送信して、端末装置２１００のシステムコントロール部２１１０が録画スケジュールが重複している旨を映像信号に重畳して出力して知らせたりすることも可能である。
【００８７】
また、録画スケジュール生成部１１１６が例えば、累積の視聴履歴時間によって録画する番組をきめるなど所定の録画条件決定手段を持ち、視聴履歴から生成された録画スケジュールに関して、複数の嗜好番組が同一時間に重複した場合、録画する番組を前記録画条件決定手段によって決定し、録画スケジュール生成部１１１６は端末制御部１１１７より制御信号を送信して、端末装置２１００で録画することも可能である。
【００８８】
なお、実施の形態１から３では端末装置２１００の蓄積部２１０８は端末装置内で説明してきたが、端末装置２１００と例えばＩＥＥＥ１３９４インタフェースなどで接続された外部機器の中にあっても同様の効果が得られる。
【００８９】
なお、本実施の形態では、選局から復号までの処理を単一で行ってきたが、フロントエンド部２１０２やＤＥＭＵＸ部２１０３、ＥＰＧ・データ放送デコーダ部２１０４、映像復号部２１０５、音声復号部２１０６、選局制御部２１１１を複数搭載することにより、システムコントロール部２１１０は局側装置１１００から録画命令が送られてきた番組をユーザーがリアルタイムで視聴している場合には別のフロントエンド部２１０２で他の番組を選局して録画することにより、より効率的に録画することが可能となる効果が得られる。なお、録画する番組の選択はあらかじめ局側装置１１００から同一時間帯におけるユーザーの嗜好番組情報を複数送付されていたり、端末装置自身がユーザーの嗜好番組情報を構築したりして、その情報に基づいて決定してもよい。
【００９０】
また、蓄積部２１０８は局側装置１１００が管理するエリア（ドライブ、別パーティションなど）と端末装置２１００ユーザーが管理するエリアを分けることにより、管理を容易にすることが可能となる。なお、各エリア設定は契約などにより、局が装置１１００および端末装置２１００ユーザーのいずれからでも変更可能とすればさらに柔軟に使用することが可能となる。
【産業上の利用可能性】
【００９１】
本発明にかかる放送システムは、局側設備に大規模な記憶装置を必要とせず、従来の放送の再送信の仕組みを利用しながら、既に放送された番組を視聴者の都合のよい時間に視聴できるシステムとして有用である。とくにＣＡＴＶ等の双方向性をもつ放送媒体にはとくに有用である。
【図面の簡単な説明】
【００９２】
【図１】本発明の実施の形態１に係る、放送システムの構成図
【図２】本発明の実施の形態１および実施の形態４に係る、放送システムの局側設備の構成図
【図３】本発明の実施の形態１および実施の形態４に係る、放送システムの端末装置の構成図
【図４】本発明の実施の形態２に係る、放送システムの局側設備の構成図
【図５】本発明の実施の形態２に係る、放送システムの端末装置の構成図
【図６】本発明の実施の形態３に係る、放送システムの局側設備の構成図
【図７】本発明の実施の形態３に係る、放送システムの局側設備のＣＭ挿入時の処理の流れを示す図
【符号の説明】
【００９３】
１０００    ＣＡＴＶ局
１１００    局側装置
１１１０    制御システム
１１１１    復調部
１１１２    再送信制御部
１１１３    変調部
１１１４    混合分配部
１１１５    番組情報収集部
１１１６    録画スケジュール生成部
１１１７    端末制御部
１１１８    視聴情報収集部
１１２０    通信装置
１１２１    変復調部
１１２２    通信制御部
１１３０    システム管理装置
２０００    視聴者宅
２１００    端末装置
２１０１    分配・混合部
２１０２    フロントエンド部
２１０３    ＤＥＭＵＸ部
２１０４    ＥＰＧ・データ放送デコーダ部
２１０５    映像復号部
２１０６    音声復号部
２１０７    蓄積・出力制御部
２１０８    蓄積部
２１０９    蓄積番組表生成部
２１１０    システムコントロール部
２１１１    選局制御部
２１１２    リモコン受信部
２１１３    電源部
２１１４    視聴データ生成部
２１２０    通信制御部
２２００    ＴＶ
３０００    ＣＡＴＶ伝送路
６０１    ＣＭ挿入部
【図１】
2005217461.tif 000003
【図２】
2005217461.tif 000004
【図３】
2005217461.tif 000005
【図４】
2005217461.tif 000006
【図５】
2005217461.tif 000007
【図６】
2005217461.tif 000008
【図７】
2005217461.tif 000009